(57)【要約】      （修正有）【課題】バッグの肩ストラップにサブバッグを取り付けた状態で、バッグを背負ったり背負ったバッグを降ろすことが容易であり、しかも、肩ストラップに対して着脱が容易なサブバッグを提供する。【解決手段】肩ストラップ２２０Ｒ,２２０Ｌを備えたバッグ２００に装着されるサブバッグ１００であって、所定の容量を有する収納部１０と、１本の肩ストラップ２２０Ｌに対して着脱可能に装着される装着部３０と、を備えるサブバッグ１００とする。【選択図】図１
2017202223.tif 000002
【特許請求の範囲】
【請求項１】
肩ストラップを備えたバッグに装着されるサブバッグであって、
所定の容量を有する収納部と、
１本の前記肩ストラップに対して着脱可能に装着される装着部と、
を備えたサブバッグ。
【請求項２】
サブバッグ用ストラップ、および／または、把持部をさらに備え、
前記サブバッグを単体で使用可能な、
請求項１に記載のサブバッグ。
【請求項３】
前記装着部は、
前記肩ストラップに沿った方向への前記サブバッグの移動を抑制する位置決め部を含む、
請求項１または請求項２に記載のサブバッグ。
【請求項４】
前記位置決め部は、
前記収納部から延びているとともに前記肩ストラップに装着され、前記肩ストラップを使用者の肩に掛けた状態で、使用者の肩と前記肩ストラップの間に配置される、
請求項３に記載のサブバッグ。
【請求項５】
肩ストラップおよび前記肩ストラップに装着されるサブバッグを備えたバッグであって、
前記サブバッグは、
所定の容量を有する収納部と、
１本の前記肩ストラップに対して着脱可能に装着される装着部と、
を備え、
前記装着部は、前記肩ストラップに沿った方向への前記サブバッグの移動を抑制する位置決め部を含み、
前記位置決め部は、連結および分離可能なオープンファスナーを構成する第１ファスナーおよび第２ファスナーを有し、
前記第１ファスナーは、前記肩ストラップに設けられており、
前記第２ファスナーおよび前記第１ファスナーを連結させることで、前記肩ストラップに沿った方向への前記サブバッグの移動が抑制される、
バッグ。
【発明の詳細な説明】
【技術分野】
【０００１】
本発明は、肩ストラップを備えたバッグに装着されるサブバッグ、およびサブバッグを備えたバッグに関するものである。
【背景技術】
【０００２】
従来、肩ストラップを備えたバッグとして、リュックサックタイプのバッグが知られている。リュックサックタイプのバッグは、通常２本の肩ストラップを有している。リュックサックタイプのバッグは、２本の肩ストラップを肩に掛けて背中に背負うことで、両手が自由になるという利点がある。このため、リュックサックタイプのバッグは、登山やハイキング等に用いられるだけでなく、日常生活にも広く利用されている。
【０００３】
しかしながら、リュックサックタイプのバッグは、背中に背負われている状態では、収納されている物品を取り出しにくい。例えば、スマートフォン等の携帯機器、財布、定期券等をバッグに収納している場合には、これらを使用する度にバッグを背中から降ろす必要があり、使用者が不便に感じる場合がある。
【０００４】
このため、携帯機器、財布、定期券等の物品を収納するためのサブバッグを取り付けたリュックサックタイプのバッグが開発されている。例えば、特開平８―１６４０２３号公報の図７には、左右の肩ストラップにサブバッグを支持させたリュックサックタイプのバッグが開示されている。特開平８―１６４０２３号公報のバッグは、サブバッグが使用者の前面に配置されるため、バッグを背負った状態でも、サブバッグに収納した物品を容易に取り出すことができる。また、サブバッグの中央にはファスナーが設けられており、ファスナーを開いてサブバッグを左右に切り離すことで、使用者は、バッグを背負ったり、背負ったバッグを降ろすことが可能になる。
【先行技術文献】
【特許文献】
【０００５】
【特許文献１】特開平８−１６４０２３号公報
【発明の概要】
【発明が解決しようとする課題】
【０００６】
しかしながら、特開平８―１６４０２３号公報のバッグは、サブバッグが左右の肩ストラップに支持されているため、バッグを背負ったり、背負ったバッグを降ろす度に、サブバッグのファスナーを開閉しなければならない。
【０００７】
なお、サブバッグのファスナーを開いた状態のままにすれば、バッグを背負ったり降ろしたりする度に、サブバッグのファスナーを開閉する必要はなくなる。しかしながら、ファスナーを開いた状態のままにすると、左右に切り離されたサブバッグはそれぞれ垂れ下がった状態となる。この状態ではサブバッグとして使用しにくく、体裁も悪化する。このため、特開平８―１６４０２３号公報に開示されているサブバッグは、ファスナーを閉じて左右の肩ストラップに支持された状態で使用されることを前提としており、ファスナーを開けた状態のままでの使用は考慮されていない。
【０００８】
また、サブバッグは、必要に応じて着脱できることが望ましく、さらに、旅行先などで、携帯機器、財布等を収納したサブバッグのみを持ち歩きたいという要望もある。
【０００９】
本発明はこのような点に鑑み、バッグの肩ストラップにサブバッグを取り付けた状態で、バッグを背負ったり背負ったバッグを降ろすことが容易であり、しかも、肩ストラップに対して着脱が容易なサブバッグ、およびサブバッグを備えたバッグを提供することを目的とする。
【課題を解決するための手段】
【００１０】
本発明のサブバッグは、肩ストラップを備えたバッグに装着されるサブバッグであって、所定の容量を有する収納部と、１本の肩ストラップに対して着脱可能に装着される装着部と、を備える。
【００１１】
また、本発明のバッグは、肩ストラップおよび肩ストラップに装着されるサブバッグを備えたバッグであって、サブバッグは、所定の容量を有する収納部と、１本の肩ストラップに対して着脱可能に装着される装着部と、を備え、装着部は、肩ストラップに沿った方向へのサブバッグの移動を抑制する位置決め部を含み、位置決め部は、連結および分離可能なオープンファスナーを構成する第１ファスナーおよび第２ファスナーを有し、第１ファスナーは、肩ストラップに設けられており、第２ファスナーおよび第１ファスナーを連結させることで、肩ストラップに沿った方向へのサブバッグの移動が抑制される。
【発明の効果】
【００１２】
本発明のサブバッグおよびバッグによれば、サブバッグは、バッグに設けられている１本の肩ストラップに対して着脱可能に装着される。このため、サブバッグを装着した状態で、容易にバッグを背負ったり、背負ったバッグを降ろすことができる。また、１本の肩ストラップに対して着脱可能であるため、サブバッグの着脱が容易である。
【図面の簡単な説明】
【００１３】
【図１】図１は、本発明の実施形態１に係るサブバッグをリュックサックタイプのバッグに装着された状態を示す正面図である。
【図２】図２は、サブバッグの正面図である。
【図３】図３は、サブバッグの背面図である。
【図４】図４は、サブバッグの左側面図である。
【図５】図５は、ストラップ保持部に肩ストラップを保持させた状態を示す背面図である。
【図６】図６は、位置決め部を肩ストラップに装着した状態を示す背面図である。
【図７】図７は、サブバッグを単体で使用する状態を示す背面図である。
【図８】図８は、本発明の実施形態２に係るバッグの正面図である。
【図９】図９は、サブバッグの背面図である。
【図１０】図１０は、肩ストラップに対してサブバッグの装着した状態を示す背面図である。
【発明を実施するための形態】
【００１４】
本発明の一実施形態にかかるサブバッグは、肩ストラップを備えたバッグに装着されるサブバッグであって、所定の容量を有する収納部と、１本の前記肩ストラップに対して着脱可能に装着される装着部と、を備える（第１の構成）。
【００１５】
上記構成によれば、サブバッグは、バッグに設けられている１本の肩ストラップに対して着脱可能に装着される。このため、サブバッグを装着した状態で、容易にバッグを背負ったり、背負ったバッグを降ろすことができる。また、１本の肩ストラップに対して着脱可能であるため、サブバッグの着脱が容易である。
【００１６】
上記第１の構成において、サブバッグ用ストラップ、および／または、把持部をさらに備え、前記サブバッグを単体で使用可能としてもよい（第２の構成）。
【００１７】
上記構成によれば、サブバッグは、バッグの肩ストラップから外して、単体で使用可能である。このため、例えば、旅行先などで、携帯機器、財布等を収納したサブバッグのみを持ち歩くような使い方が可能である。
【００１８】
上記第１又は第２のいずれかの構成において、前記装着部は、前記肩ストラップに沿った方向への前記サブバッグの移動を抑制する位置決め部を含んでもよい（第３の構成）。
【００１９】
上記構成によれば、サブバッグは、位置決め部により肩ストラップに沿った方向への移動が抑制される。このため、使用中におけるサブバッグの位置のずれを抑制することができる。
【００２０】
上記第３の構成において、前記位置決め部は、前記収納部から延びているとともに前記肩ストラップに装着され、前記肩ストラップを使用者の肩に掛けた状態で、使用者の肩と前記肩ストラップの間に配置されるようにしてもよい（第４の構成）。
【００２１】
上記構成によれば、肩ストラップを使用者の肩に掛けた状態で、位置決め部は、使用者の肩と肩ストラップの間に挟持された状態となる。このため、位置決め部は、肩ストラップとの間の摩擦により位置がずれにくくなる。よって、使用中におけるサブバッグの位置のずれを抑制することができる。また、位置決め部はサブバッグに設けられているため、使用者は、手持ちのバッグにサブバッグを装着して使用することができる。
【００２２】
本発明の一実施形態にかかるバッグは、肩ストラップおよび前記肩ストラップに装着されるサブバッグを備えたバッグであって、前記サブバッグは、所定の容量を有する収納部と、１本の前記肩ストラップに対して着脱可能に装着される装着部と、を備え、前記装着部は、前記肩ストラップに沿った方向への前記サブバッグの移動を抑制する位置決め部を含み、前記位置決め部は、連結および分離可能なオープンファスナーを構成する第１ファスナーおよび第２ファスナーを有し、前記第１ファスナーは、前記肩ストラップに設けられており、前記第２ファスナーおよび前記第１ファスナーを連結させることで、前記肩ストラップに沿った方向への前記サブバッグの移動が抑制される（第５の構成）。
【００２３】
上記構成によれば、肩ストラップの第１ファスナーとサブバッグの第２ファスナーを係合させることで、使用中におけるサブバッグの位置のずれを抑制することができる。また、肩ストラップに対してサブバッグを着脱する際には、第１ファスナーと第２ファスナーの係合および係合の解除を容易に行うことができる。
【００２４】
［実施形態１］
以下、図面を参照し、本発明の実施形態に係るサブバッグ１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２５】
［全体構成］
まず、サブバッグ１００の全体構成について説明する。図１は、本発明の実施形態１に係るサブバッグ１００をリュックサックタイプのバッグ２００に装着された状態を示す正面図である。以下の図では、矢印Ｒはサブバッグ１００の右方向を示し、矢印Ｌは左方向を示す。矢印Ｕは上方向を示し、矢印Ｄは下方向を示す。矢印Ｆは前方向、矢印Ｂは後方向を示す。
【００２６】
図１に示すリュックサックタイプのバッグ２００は、バッグ本体２１０および２本の肩ストラップ２２０Ｌ，２２０Ｒを備えている。バッグ本体２１０は、物品を収納するための収納空間を内部に有している。使用者は、肩ストラップ２２０Ｌ，２２０Ｒを両肩に掛けてバッグ２００を背中に背負うことができる。なお、図１に示すバッグ２００は、本実施形態のサブバッグ１００を説明するための一例である。肩ストラップの本数は２本に限られず、例えば１本であってもよい。
【００２７】
サブバッグ１００は収納部１０および装着部３０を有している。本実施形態のサブバッグ１００は、主として厚手のナイロン生地を縫成することにより構成されている。なお、サブバッグ１００の素材はナイロン生地に限定されず、布、皮革などバッグ類に用いられている他の素材を用いることができる。また、これらの素材を組み合わせて収納部１０および装着部３０を構成することも可能である。
【００２８】
収納部１０は、サブバッグ１００の本体となる部分である。収納部１０は、所定の容量を有しており、物品を収納するための収納空間を内部に構成している。収納部１０の上部には、収納空間に物品を出し入れするための開口部１１が設けられている。開口部１１は、ファスナー（スライドファスナー）１１Ｆで開閉できるように構成されている（図４参照）。収納部１０の前面には、小物を収納するためのポケット１２，１３が設けられている。ポケット１２，１３は、それぞれファスナー１２Ｆ，１３Ｆで開閉できるように構成されている（図４参照）。
【００２９】
ファスナー１１Ｆ，１２Ｆ，１３Ｆは、それぞれ一対のファスナーエレメント列ＥＡ，ＥＢ、およびスライダＳＡを有している。スライダＳＡを移動させることにより、一対のファスナーエレメント列ＥＡ，ＥＢを係合および離脱させ、ファスナー１１Ｆ，１２Ｆ，１３Ｆを開閉させることができる。
【００３０】
収納部１０の前面の上部、および背面の下部には、取付部９１，９２（図３参照）が設けられている。取付部９１，９２は、サブバッグ用ストラップ９０を取り付けるための部分である。本実施形態では、取付部９１，９２として環状部材を設けている。サブバッグ用ストラップ９０は、サブバッグ１００を単体で使用する場合に取り付けるストラップである（図７参照）。
【００３１】
装着部３０は、バッグ２００の２本の肩ストラップ２２０Ｌ，２２０Ｒのうち、いずれか１本に装着して、サブバッグ１００をバッグ２００に対して着脱可能に装着させる部分である。装着部３０は、ストラップ保持部４０（図３参照）および位置決め部５０を有している。図１では、サブバッグ１００を肩ストラップ２２０Ｌに装着しているが、サブバッグ１００を反対側の肩ストラップ２２０Ｒに装着することも可能である。
【００３２】
ストラップ保持部４０は、肩ストラップ２２０Ｌを保持することで、サブバッグ１００を肩ストラップ２２０Ｌに装着させる部分である（図３参照）。
【００３３】
位置決め部５０は、収納部１０の上部に設けられている。位置決め部５０は、肩ストラップ２２０Ｌに装着されることで、サブバッグ１００が肩ストラップ２２０Ｌに沿う方向へ移動することを抑制する部分である。
【００３４】
図２は、サブバッグ１００の正面図である。図１では、位置決め部５０が肩ストラップ２２０Ｌに装着されている状態を示したが、図２では、位置決め部５０を広げた状態を示している。位置決め部５０は、位置決め部主体５１およびオープンファスナー５２Ｆを有している。
【００３５】
位置決め部主体５１は、収納部１０の上部から、上方に向けて延びている。位置決め部主体５１は、肩ストラップ２２０Ｌに巻き付けて装着できるように、柔軟性を有しているとともに、肩ストラップ２２０Ｌの幅の約２倍の幅を有している。
【００３６】
オープンファスナー５２Ｆは、肩ストラップ２２０Ｌに巻き付けた位置決め部主体５１の両側部を着脱可能に固定する部分である。オープンファスナー５２Ｆは、一対のオープンファスナーエレメント列ＥＣ，ＥＤ、およびスライダＳＢを有している。オープンファスナーエレメント列ＥＣは、位置決め部主体５１の右側部５１Ｒに取り付けられており、オープンファスナーエレメント列ＥＤは、位置決め部５０の左側部５１Ｌの背面に取り付けられている。スライダＳＢは、オープンファスナーエレメント列ＥＤに取り付けられている。オープンファスナーエレメント列ＥＣ，ＥＤを組み合わせてスライダＳＢを上下に移動させることにより、一対のオープンファスナーエレメント列ＥＣ，ＥＤが係合および離脱してオープンファスナー５２Ｆを開閉させることができる。オープンファスナー５２Ｆは、図２に示すように、一対のオープンファスナーエレメント列ＥＣ，ＥＤを左右に分離させることが可能である。
【００３７】
図３は、サブバッグ１００の背面図である。収納部１０の背面には、ストラップ保持部４０が設けられている。ストラップ保持部４０は、第１保持部４１および第２保持部４２を有している。第１保持部４１は、ベルト４１１，４１２およびバックル４１３を有しており、第２保持部４２は、ベルト４２１，４２２およびバックル４２３を有している。ベルト４１１，４１２は、バックル４１３で接続されており、バックル４１３を分離および接続することで、ベルト４１１，４１２を分離および接続することができる。同様に、ベルト４２１，４２２は、バックル４２３で接続されており、バックル４２３を分離および接続することで、ベルト４２１，４２２を分離および接続することができる。
【００３８】
収納部１０の背面には、ポケット１４および収納ポケット１５が設けられている。ポケット１４は、ファスナー１４Ｆで開閉できるように構成されている。収納ポケット１５は、位置決め部５０を使用しない場合に、位置決め部５０を折り畳んで収納できるように構成されている。
【００３９】
位置決め部主体５１には、摩擦部材５４が設けられている。摩擦部材５４は、位置決め部主体５１の右側部５１Ｒ寄りの位置に設けられている。摩擦部材５４は、サブバッグ１００が肩ストラップ２２０Ｌに取り付けられた状態で、肩ストラップ２２０Ｌとの間で摩擦力を発生させる部材である。摩擦力を大きくするため、摩擦部材５４の素材として、例えば、起毛した皮革などが用いられる。使用者がサブバッグ１００を取り付けた肩ストラップ２２０Ｌを肩に掛けることにより、摩擦部材５４は使用者の肩と肩ストラップ２２０Ｌの間に挟まれる状態となる。摩擦部材５４と肩ストラップ２２０Ｌが密着することにより、摩擦力が大きくなり、サブバッグ１００が肩ストラップ２２０Ｌに沿う方向へ移動することを抑制することができる。
【００４０】
図４は、サブバッグ１００の左側面図である。収納部１０の開口部１１が上部に見えており、ポケット１３が前部に見えている。位置決め部主体５１は、収納部１０の背面から上方に延びている。位置決め部主体５１は、肩ストラップ２２０Ｌに巻き付けて装着可能となるように、収納部１０よりも薄く形成されている。
【００４１】
［肩ストラップへの装着］
次に、図５および図６を用いてサブバッグ１００をバッグ２００の肩ストラップ２２０Ｌに対して装着する手順について説明する。図５は、ストラップ保持部４０に肩ストラップ２２０Ｌを保持させた状態を示す背面図である。図６は、位置決め部５０を肩ストラップ２２０Ｌに装着した状態を示す背面図である。
【００４２】
図５に示すように、肩ストラップ２２０Ｌは、ストラップ保持部４０の第１保持部４１および第２保持部４２により保持されている。第１保持部４１では、まずバックル４１３を分離してベルト４１１，４１２を分離する。つぎにベルト４１１，４１２の間に肩ストラップ２２０Ｌを載置し、肩ストラップ２２０Ｌの上でバックル４１３を接続してベルト４１１，４１２を接続することにより、第１保持部４１で肩ストラップ２２０Ｌを保持する。同様に、第２保持部４２でも、まずバックル４２３を分離してベルト４２１，４２２を分離する。つぎにベルト４２１，４２２の間に肩ストラップ２２０Ｌを載置し、肩ストラップ２２０Ｌの上でバックル４２３を接続してベルト４２１，４２２を接続することにより、第２保持部４２で肩ストラップ２２０Ｌを保持する。
【００４３】
続いて、図６に示すように、位置決め部主体５１の背面に肩ストラップ２２０Ｌを載置した状態で、右側部５１Ｒを左側部５１Ｌに対して折り返し、位置決め部主体５１で肩ストラップ２２０Ｌを挟む。さらに、オープンファスナーエレメント列ＥＣ，ＥＤを組み合わせてスライダＳＢを上方に移動させ、オープンファスナー５２Ｆを閉じる。これにより、位置決め部５０を肩ストラップ２２０Ｌに装着することができる。この状態で、使用者が肩ストラップ２２０Ｌを肩に掛けることにより、位置決め部５０の摩擦部材５４は、使用者の肩と肩ストラップ２２０Ｌの間に挟持された状態となる。このため、位置決め部５０は、肩ストラップ２２０Ｌとの間の摩擦により位置がずれにくくなり、使用中におけるサブバッグ１００の位置のずれを抑制することができる。
【００４４】
図７は、サブバッグ１００を単体で使用する状態を示す背面図である。ストラップ保持部４０および位置決め部５０は、肩ストラップ２２０Ｌから外されている。位置決め部５０は、左側部５１Ｌに対して右側部５１Ｒを折り返した状態でさらに収納部１０の背面に対して折り返し、収納ポケット１５に収納されている。
【００４５】
取付部９１，９２には、サブバッグ用ストラップ９０を取り付けている。この状態で、サブバッグ１００を単体でショルダーバッグとして使用することができる。なお、サブバッグ用ストラップ９０を取り付けずに使用してもよく、あるいは、サブバッグ１００に把持部を取り付けておき、手提げバッグとして使用できるようにしてもよい。
【００４６】
［実施形態２］
実施形態２のバッグ２２００は、サブバッグ２１００を位置決めする位置決め部２５０がオープンファスナー６１Ｆである点が実施形態１のサブバッグ１００と異なっている。以下の説明において、実施形態１と同様の構成には同一の符号を付して説明を省略し、実施形態１と異なる構成についてのみ説明する。
【００４７】
図８は、本発明の実施形態２に係るバッグ２２００の正面図である。図８では、バッグ２２００の肩ストラップ２２２０Ｌには、サブバッグ２１００が装着されている。サブバッグ２１００には、実施形態１の位置決め部５０が設けられておらず、位置決め部２５０として、肩ストラップ２２２０Ｌおよびサブバッグ２１００にオープンファスナー６１Ｆが設けられている。
【００４８】
図９は、サブバッグ２１００の背面図である。位置決め部２５０としてのオープンファスナー６１Ｆは、一対のオープンファスナーエレメント列ＥＥ，ＥＦ、およびスライダＳＣを有している（図１０参照）。オープンファスナーエレメント列ＥＥは、収納部１０の背面に取り付けられており、オープンファスナーエレメント列ＥＦは、肩ストラップ２２２０Ｌに取り付けられている（図１０参照）。スライダＳＣは、オープンファスナーエレメント列ＥＥに取り付けられている。オープンファスナーエレメント列ＥＥ，ＥＦを組み合わせてスライダＳＢを上下に移動させることにより、一対のオープンファスナーエレメント列ＥＥ，ＥＦを係合および離脱させてオープンファスナー６１Ｆを開閉させることができる。オープンファスナー６１Ｆを開いた状態では、一対のオープンファスナーエレメント列ＥＥ，ＥＦを左右に分離させることが可能である。図９では、オープンファスナー６１Ｆを開いて、一対のオープンファスナーエレメント列ＥＥ，ＥＦを分離した状態を示している。オープンファスナーエレメント列ＥＦは本発明の第１ファスナーに相当し、オープンファスナーエレメント列ＥＥは本発明の第２ファスナーに相当する。
【００４９】
図１０は、肩ストラップ２２２０Ｌに対してサブバッグ２２００の装着した状態を示す背面図である。図１０に示すように、肩ストラップ２２２０Ｌは、ストラップ保持部４０の第１保持部４１および第２保持部４２により保持されている。
【００５０】
オープンファスナー６１Ｆは、オープンファスナーエレメント列ＥＥ，ＥＦが組み合わされて連結されている。これにより、位置決め部２５０は、使用中におけるサブバッグ２１００の位置のずれを抑制することができる。
【００５１】
［変形例］
本発明に係るサブバッグおよびバッグは、上記説明した本実施形態に限定されない。本実施形態では、バッグはリュックサックタイプとしたが、リュックサックタイプのものに限定されない。
【００５２】
本実施形態のサブバッグおよびバッグの形状は、本実施形態の形状に限定されない。例えば、収納部および装着部の形状を他の形状に変形することができる。
【００５３】
また、位置決め部に用いられているオープンファスナーの取付け位置は、収納部および装着部の形状に応じて適宜変更することができる。
【００５４】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【００５５】
１００  サブバッグ
２００  バッグ
２２０Ｌ，２２０Ｒ  肩ストラップ
１０    収納部
３０    装着部
４０    ストラップ保持部
５０    位置決め部
【図１】
2017202223.tif 000003
【図２】
2017202223.tif 000004
【図３】
2017202223.tif 000005
【図４】
2017202223.tif 000006
【図５】
2017202223.tif 000007
【図６】
2017202223.tif 000008
【図７】
2017202223.tif 000009
【図８】
2017202223.tif 000010
【図９】
2017202223.tif 000011
【図１０】
2017202223.tif 000012